(57)【要約】【課題】昇降機について、搭乗者を放射性物質や放射線から効果的に防護する。【解決手段】放射線被曝の恐れのある領域に適用される工事用エレベーター類について、人員の搭乗するケージ本体１１の外板を多層構造とし、上記多層構造とした外板構成材の一層を、被曝対策を施さない外板構成部材の数倍の板厚の肉厚部材Ｇによって構成するとともに、被曝対策として搭乗者が着用している着用品類の損傷を防ぐために、上記ケージ本体の内部に取付けられた機器類による凸凹を平坦化部材により覆った構成とする。【選択図】          図１０
2014145749.tif 000002
【特許請求の範囲】
【請求項１】
放射線被曝の恐れのある領域に適用される昇降機であって、
人員の搭乗するケージ本体の外板を多層構造とし、
上記多層構造とした外板構成材の一層を、被曝対策を施さない外板構成部材の数倍以上の板厚の肉厚部材によって構成するとともに、
被曝対策として搭乗者が着用している着用品類の損傷を防ぐために、上記ケージ本体の内部に取付けられた機器類による凸凹を平坦化部材により覆ったことを特徴とする
被曝線量低減対策を講じた昇降機。
【請求項２】
ケージ本体の内外の通話のためのインターホンと、内部を映し出せる全周監視カメラが、ケージ本体の上部、かつ、隅部近くに設置されている
請求項１記載の被曝線量低減対策を講じた昇降機。
【請求項３】
肉厚部材によって構成するものが、放射線源に直面する側の外板構成材の一層であり、
かつ、上記外板構成部材の一層は鋼板から成り、被曝対策を施さない外板構成鋼板の約５倍の板厚の肉厚鋼板により構成されている
請求項１記載の被曝線量低減対策を講じた昇降機。
【請求項４】
遮蔽効果の保持と重量過大による作業性の悪化を抑制するために、ケージ本体の放射線源に対する位置関係の相違に基因した、被曝線量に応じて外板構成材の板厚を設定し、かつまた、交換可能であるように構成された
請求項１記載の被曝線量低減対策を講じた昇降機。
【請求項５】
ケージ本体は複数枚構成のケージ扉を有し、ケージ扉はそれぞれの端部に、鉤の手に折り曲げられた、断面形状がほぼＬ字型の重なり部を有しており、上記Ｌ字型の端部相互の重なりにより放射線を遮蔽するように構成された
請求項１記載の被曝線量低減対策を講じた昇降機。
【発明の詳細な説明】
【技術分野】
【０００１】
本発明は、放射線被曝の恐れのある領域に適用される被曝線量低減対策を講じた昇降機に関するものである。
【背景技術】
【０００２】
原子力発電所等の原子力関連施設では、事故が起こり放射性物質や放射線が外部へ漏れ出すと、大きな被害をもたらす。このようなことは特に国内では広く知られており、一旦そのような事故が発生した場合には、その収束に全力が注がれることになるが、それには放射性物質や放射線に対する防護策を講じる必要がある。
【０００３】
２０１１年３月１１日の地震に伴う原子力発電所事故では炉心溶融が発生し、様々な対策が講じられた。その後の処理において、以下のような事項が認識されている。
・原子炉周辺は放射線量が著しく高く、かつ、放射能汚染物質が著しく多い。
・そこで、一定の汚染領域が設定され、汚染領域ではそこに立ち入る時間が制限されるとともに、一定の被曝線量を超えると再入場が差し止められる。
・汚染領域には、放射性物質や放射線に関する教育を受けた者など、ごく限られた人員しか入場を許されない。
・汚染領域への入場が許された者でも、放射性物質や放射線の影響を最小限度にするために、被曝対策として肌を露出しない放射線防護服、手袋、マスク等の着用が必須とされ、会話が極めて困難になり、行動が束縛され、作業効率も悪い。
・例えば、工事用エレベーターなど狭い空間での作業に従事する場合、その状況が外部から分からなければ危険である。
【０００４】
事後処理のために原子炉建屋を囲む構造物を設置する場合、構造物の施工には、まず、工事用エレベーターを設置する必要がある。しかし、工事用に限らずエレベーターは荷を搭載しない状態での重量（以下、空虚重量という。）が意味を持っており、被曝対策のためにエレベーターのケージ自体の空虚重量が増えれば揚重荷重が減るので、余りに重装備を施すと揚重効率が制約される問題を生じる。そこで、ケージに求められる遮蔽性能と放射線防護服の遮蔽性能及び放射線被曝の恐れのある汚染領域での滞在時間等を考慮して、許容されている被曝線量を超えない範囲で、最適と考えられる条件を見出すことが必要になる。また、ケージ内部には各種機器等が設置され、それらが凸凹となっており、作業員等搭乗者が着用する放射線防護服の服地などが引っ掛かり損傷すると危険である。
【０００５】
先行技術を調査したところ、工事用エレベーター類の放射線対策に有用と思われる技術は殆どなく、隣接分野の車両に関して特開２０１２―２３０００８号を見出した程度である。同号の発明は、キャビンを、防護構造としたケーシング体で構成するとともに車両本体に対して分離可能に区画隔成したもので、運転者に対する特殊物質被曝を防止するために特殊物質シールドキャビンを備え、上記キャビンは金属製厚板及び鉛ガラスから成るケーシング体で構成される、と記載されている。上記の車両はフォークリフトであるから、車体の重量増加が動力性能を低下させることはあっても、フォークによる揚重荷重は変化しないと考えられ、また、運転者は座って作業し、操作範囲はごく限られているから、防護服が引っ掛かって損傷するような事態も考えにくい。
【０００６】
【特許文献１】特開２０１２―２３０００８号
【発明の開示】
【発明が解決しようとする課題】
【０００７】
本発明は前記の実情に鑑みてなされたもので、その課題は、工事用エレベーターに代表される昇降機において、搭乗者を放射性物質や放射線から効果的に防護することである。また、本発明の他の課題は、搭乗者の状況を的確に把握し、危険が迫っている場合には、迅速に救護対策を講じられるようにすることである。
【課題を解決するための手段】
【０００８】
前記の課題を解決するため、本発明は、放射線被曝の恐れのある領域に適用される昇降機について、人員の搭乗するケージ本体の外板を多層構造とし、上記多層構造とした外板構成材の一層を、被曝対策を施さない外板構成部材の数倍以上の板厚の肉厚部材によって構成するとともに、被曝対策として搭乗者が着用している着用品類の損傷を防ぐために、上記ケージ本体の内部に取付けられた機器類による凸凹を平坦化部材により覆って構成するという手段を講じたものである。
【０００９】
本発明の適用対象は、例えば、深刻な事故を起した原子力発電所であり、その収束に向けた事後処理の一環として、原子炉建屋の周囲に設置するための昇降機である。即ち、本発明に係る昇降機は、例えば、工事用エレベーターと考えて良い（図１６参照）。同図において、Ｒは原子炉建屋、Ｓはその外部構造体であり、工事用エレベーター１０はケージ本体１１を有し、その昇降のためのガイドレール１２と外部構造体Ｓとは壁つなぎ１３により結合されている。
【００１０】
ケージ本体１１は、その背後に位置しているガイドレール１２に沿って、昇降機構１４により昇降する。このように、放射線被曝の恐れのある汚染領域に設置されている工事用エレベーター１０では、ケージ本体１１の背面の側が、主として放射線源に直面する側になる。従って、本発明による被曝線量低減対策は、ケージ本体１１の、主として放射線源に直面する背面の側について行われる。
【００１１】
このような昇降機において、本発明は、人員の搭乗するケージ本体の外板を多層構造としている。多層構造としたのは、放射線等に対する被曝対策と、放射線防護服の保護とを容易にするという意図がある。多層構造とした外板構成材の一層を、被曝対策を施さない外板構成部材の数倍の板厚の肉厚部材によって構成し、外板構成材の他の層で凸凹を覆うことにより、被曝線量の低減とケージ内部の凸凹の平滑化が同時に達成され、従って、非常に有効な被曝線量低減対策となる。
【００１２】
上記多層構造とした外板構成材の一層を、被曝対策を施さない外板構成部材の数倍の板厚の肉厚部材によって構成する。この場合において、肉厚部材によって構成するものが、放射線源に直面する側の外板構成材の一層であり、かつ、上記外板構成部材の一層は鋼板から成り、被曝対策を施さない外板構成鋼板の約５倍の板厚の肉厚鋼板により構成することは、本発明の装置として好ましいものである。
【００１３】
板厚については、本発明装置の開発過程において実験を繰り返し、試行錯誤の中から上記の数値に意義を見出したものである。素材に選択した鋼板では、被曝対策を施さない外板構成部材の板厚３．２ｍｍを５倍の１６ｍｍにすることでガンマ線の線量がほぼ２分の１に減少するとのことから材厚を決定した。数倍以上の板厚とすることは一般財団法人高度情報科学技術研究機構のサイトから閲覧できる「鉄中におけるガンマ線の透過率」及びその他の資料等を参照して決定することも可能である。板厚は５倍をあまり下回ると遮蔽効果が不足し、上回れば重量が過大となることから、鋼板については４〜６倍の範囲が有効な遮蔽効果を得ることができる一応の目安といえる。
【００１４】
一方、ガンマ線等放射線の遮蔽効果により優れている素材として、鉛等が知られていることも周知であることから、具体的な板厚は放射線に対する防護機能を担う素材の材質、放射線量及び被曝時間に応じて選定することができる。なお、重量の過大な増加により作業性が悪化し過ぎると、被曝時間が増すので、これも併せ考慮する必要がある。つまり、動力性能を増大し必要な作業性を維持することも、被曝線量低減対策を講じることになる上で有効である。即ち、本発明は遮蔽効果の保持と重量過大による作業性の悪化を抑制するために、ケージ本体の放射線源に対する位置関係の相違に基因した、被曝線量に応じて外板構成材の板厚を設定し、かつまた、交換可能であるように構成されている。
【００１５】
被曝対策として搭乗者が着用している着用品類の損傷を防ぐために、上記ケージ本体の内部に取付けられた機器類による凸凹を平坦化部材により覆った構成とする。着用品類には放射線防護服、手袋、靴等、搭乗者の着用するあらゆる物品が含まれる。このような着用品類が損傷し、汚染物質が内部に侵入した場合、人体の受ける危険性が増大するので、放射線防護服による行動を妨げないように、引っ掛かり防止対策を講じることが重要になるのである。上記凸凹は、ケージ本体内部に設置されている操作盤、インターホン、カメラ等の機器、救助用設備、備品等あらゆるものによって生じる。
【００１６】
上記ケージ本体の内部との通話を行うインターホンと、内部を映し出せる全周監視カメラ等は、ケージ本体の上部、かつ、隅部近くに設置することが望ましい。通話の確保と、内部全体を監視できるカメラの設置は、状況の把握に不可欠と判断される。これらはケージ本体内の凸凹となるので、隅部近くに設置すべきである。また、全周監視カメラは、特定監視方向に向けて動かす必要がないので作業者の行動も妨げられることが少ない。
【００１７】
また、ケージ本体は複数枚構成のケージ扉を有し、ケージ扉はそれぞれの端部に、鉤の手に折り曲げられた、断面形状がほぼＬ字型の重なり部を有しており、上記Ｌ字型の端部相互の重なりにより放射線を遮蔽するように構成することが望ましい。このような形状による遮蔽の工夫も、本発明の昇降機において被曝線量低減対策を構造的に講じるものであり、板厚の低減に資することになる。
【発明の効果】
【００１８】
本発明は以上のように、工事用エレベーターに代表される昇降機において、ケージ本体に板厚の肉厚鋼板を用い、かつ、ケージ本体の内部を平滑化することの相乗により、搭乗者を放射性物質や放射線から効果的に保護することができるという効果を奏する。また、本発明によれば、搭乗者の状況を音声の交信と視覚的な監視によって的確に把握し、危険が迫っている場合には、迅速に救護対策を講じすることができる。
【発明を実施するための最良の形態】
【００１９】
以下、図示の実施形態を参照して本発明をより詳細に説明する。図１は本発明に係る被曝線量低減対策を講じた昇降機を工事用エレベーター１０として示したもので、工事用エレベーター１０がケージ本体１１と、その昇降のためのガイドレール１２を有し、ガイドレール１２と外部構造体Ｓとが壁つなぎ１３により結合されていること、外部構造体Ｓが深刻な事故を起こした原子炉建屋Ｒに隣接し、汚染領域にあることなどは、図１６について既に説明したとおりである。
【００２０】
上記工事用エレベーター１０は、昇降用のモーター１４、電磁ブレーキ１５等をケージ本体１１の上部に配置されている。昇降用のモーター１４はピニオン１４ａを有し、ガイドレール１２に設置されたラック１２ａとの噛み合いにより、昇降可能に構成されており（図９参照）、電磁ブレーキ１５は自動落下防止装置を付属している。また、１６は速度開閉器、１７は脱落防止リミットスイッチ、１８は電源・通信ケーブルを示す。なお、ケージ本体１１は最下部停止状態の位置Ｄにて、下部ステージ２０と連絡する。
【００２１】
下部ステージ２０は、ケージ本体１１とガイドレール１２をその設置部の一部に取り込む形で配置されており（図３）、ケージ本体１１が最下部停止状態の位置Ｄまで下降してきたときにケージ本体１１と接続される状態になる。下部ステージ２０は正面に階段２１にて乗降する乗降スペース２２を有し、同スペース２２はケージ本体１１の正面に対して左側に位置する。乗降スペース２２には、インターホン子機２３、呼び出し装置２４、中継ボックス２５、回転灯２６が備え付けられている。
【００２２】
下部ステージ２０は汚染領域に設置されており、従って、放射線源である原子炉に直面する背面と側面の面板２７、２８は、被曝対策を施さない外板構成鋼板の約５倍の板厚の肉厚鋼板により構成されている。この実施形態の場合、背面と側面の面板２７、２８についても、板厚が１６ｍｍの鋼板によって形成されている。２９はタラップを示しており、下部ステージ２０の屋根に対する上り下りに用いられる。下部ステージ２０の乗降口には、ケージ本体１１への乗降を改善するために、以下のような変更が加えられている。
【００２３】
図５〜８は乗降口扉部３０の詳細を示しており、各図中、３１は開閉扉、３２は扉枠、３３は開閉ハンドル、３４は開閉検出用のリミットスイッチ、３５は開閉ロック装置を示している。上記開閉扉３１は、車輪３１ａにより敷居レール３２ａを移動するもので、乗降スペース２２の奥行きの半分以上の長さを有しており、この長さは、具体的にはケージ本体１１の開閉口４０をほぼ全開する寸法に設定されている（図６参照）。
【００２４】
また、乗降口の周囲については、ハンドルノブ３６を図８に示す如く、小型のものからより大型のものに換装し、開閉操作をし易くしている。また、ラッチ３６ａとそのロック相手３６ｂは小さいものとすることで、乗降口及び開閉口４０への突出量も減少させられる。なお、乗降口扉部３０には、非常口扉３７と解錠用窓３８が設けられ、その開閉は非常口扉位置検出用のリミットスイッチ３９により検出する構成を有する。
【００２５】
上記工事用エレベーター１０、即ち、本発明に係る昇降機は、図９〜図１５に示されるケージ本体１１を有している。図９以下に示したようにケージ本体１１は箱型で、その６面の外板が正面遮蔽部４１、右側面遮蔽部４２、左側面遮蔽部４３、背面遮蔽部４４、床面遮蔽部４５、天面遮蔽部４６によって形成されている。これらの外板の内の背面遮蔽部４４は、板厚が１６ｍｍの鋼板を構成材として形成されている。これに対して、被曝線量がより少ない右側面遮蔽部４２及び床面遮蔽部４５、天面遮蔽部４６は板厚が６ｍｍの鋼板を構成材として形成され、被曝線量が最も少ない正面遮蔽部４１は板厚が２．３ｍの鋼板を構成材として形成されている。しかしながら、左側面遮蔽部４３や床面遮蔽部４５の一部または全部なども１６ｍｍの鋼板で構成することができる。
【００２６】
このように、放射線源に対する位置関係の影響を受ける被曝線量に応じて、きめ細かく板厚を設定し、かつまた、交換可能に構成することができ、このような設定により遮蔽効果を十分考慮しつつ、ケージ本体１１の重量過大による作業性の悪化を抑制している。即ち、各板厚は許容されている被曝線量を超えない範囲において最適と考えられる条件を満たし、かつ、ケージ本体１１の空虚重量を無駄に増加させない値を特定することができているものである。４７ａは天面のハッチを示すが、その板厚は天面遮蔽部４６の板厚と同板厚に設定する。上記した板厚の値やその配分は飽くまで一例であり、現実の被曝線量及び昇降性能等の条件変化に応じて任意に設定を変えることができる。なお、４７ｂは室内灯を示す。
【００２７】
上記６面から成るケージ本体１１は、その外板全てを多層構造から成るものとすることができる。上記各遮蔽部４１〜４６の各板厚は、飽くまで被曝対策とした鋼板の厚さであって、それらの鋼板にまた任意に外板構成材を組み合わせることが可能である。従って、他の外板構成材の遮蔽性能によっては、各遮蔽部４１〜４６の各板厚は変動し得るものであるが、放射線により汚染され再利用の不可能な条件においては、鋼板を使用することが費用対効果において最も有用と判断される。しかしながら、前述したように鉛等の鋼以外の素材を使用することも妨げるものではない。
【００２８】
本発明におけるケージ本体１１は、図１０〜図１３に示した形態を有している。図１０は背面遮蔽部４４におけるケージ本体内部を示すもので、内装板４８は３枚の内装板部材４８ａ、４８ｂ、４８ｃを内面に貼り合わせて形成されている。取付け構造は図１２に示されており、背面遮蔽部４４の外板構成材である１６ｍｍの鋼板より成る肉厚部材Ｇに、プラスチック製の表層材４８ｄとその内部に配置した充填材４８ｅから成る内装板４８を重ね合わせ、内装板４８を上記肉厚部材Ｇにボルト４９により止め付けている。
【００２９】
充填材４８ｅは遮音性と断熱性を具備した素材より成り、夏季の暑熱と冬季の寒冷に対処し易くするとともに騒音を遮断し、外部との音声連絡が静粛環境下で確実に行われるように図っている。メネジ４９ａは上記肉厚部材Ｇに直接形成されており、また、ボルト取り付けの凹部４９ｂはプラグ４９ｃを用いて塞ぎ、平滑性を保っている。凹部４９ｂが服地などを損傷する惧れはないと思われるが、しかし、作業員の動作を妨げる可能性もあるほか不測の事態も考慮する必要があるので、その対策としてプラグ４９ｃにより閉塞しているものである。また、図１２によれば、外板構成材を容易に交換可能であることが理解されるであろう。
【００３０】
ケージ本体１１の内部には操作盤５０を設置しており、それがケージ本体の内部に出張らないようにするため化粧板５１により覆っている（図１１、図１２等参照）。同図において、５２は操作ボタン群である。また、盤面から殆どで貼らないようにケージ本体１１の内外の通話のためのインターホン５３が設置されている。これらの操作盤５０やインターホン５３に代表される機器類はケージ本体内部にあらわれる凸凹の一部であり、それらの凸凹を平滑化するために平坦化部材によって覆っている。即ち、多層構造として構成された内装板４８、それらを素材とする化粧板５１等は、上記外板構成材の平坦化部材に該当する。図１２Ｂは、図１１のＸＩＩＢ部分を拡大図示したものに相当する。同図には、背面遮蔽部４４と床面遮蔽部４５とが、ボルト４９を用いる前記の取付け構造の下部において、床面遮蔽部４５の外板構成材と溶接（符号５４で示す。）により接続されている状態が示されている。
【００３１】
図１３は、ケージ本体１１の正面遮蔽部４１の内面を示しており、内面には内装板５５ａ及び５５ｂとともに、カバー５６によって覆われている状態のタラップ５７収納ハッチが示されている。５８はストッパーであり、上記カバー５６の着脱を行う。また、ケージ本体正面には適当な形態の窓５９が設けられており、かつまた、内部のほぼ全体を映し出せる全周監視カメラ６０が、内部の上部、かつ、隅部近くに設置されている。上記のタラップ５７、カバー５６も、それぞれ凸凹を生じる機器類、平坦化部材に相当する。
【００３２】
これらの作動のための電源は、前述した電源・通信ケーブル１８によって得られる。各電源・通信ケーブル１８及び接続部ついては、防水性を持たせるとともに色分けにより短時間で間違いなく作業を完了できるようにする。また、インターホン５３と全周監視カメラ６０は実施形態の如く別々に設置しても良いが、インターホン機能を備えた全周監視カメラも市販されているのでこれを使用しても良く、その場合には構成がより単純になる。
【００３３】
また、ケージ本体１１は３枚構成のケージ扉６１、６２、６３を有しており、その内の第１、第２のケージ扉６１、６２が開閉し、第３ケージ扉６３は固定である（図１４〜図１５参照）。第１、第２のケージ扉６１、６２は、それぞれ上下の戸車６１ａ、６１ｂ、６２ａ、６２ｂによって戸枠側に設けられたレール部６４、６５を移動して開閉可能とされている。３枚構成のケージ扉６１、６２、６３は、それぞれの端部に、それぞれのケージ扉６１、６２、６３のほぼ全高に及んで鉤の手に折り曲げられた、断面形状がほぼＬ字型の重なり部６６、６６′、６７、６７′、６８を有しており、Ｌ字型の端部相互の重なりにより放射線を遮蔽する構造とされている。
【００３４】
上記のように、本発明の昇降機は、外板構成材を１６ｍｍの鋼板より成る肉厚部材Ｇによって構成するとともに、その板厚は放射線に対する防護機能を担う素材の材質、放射線量及び被曝時間に応じて選定ないし設定し、また、交換可能であるように構成する等の被曝線量低減対策を講じたものである。肉厚部材は外板構成部材の数倍という条件を満たす必要があり、在来の外板構成部材の５倍の肉厚をもつ鋼板はその例である。しかし、被曝線量を例えば従来の２分の１に低減できるものであれば、３倍ないしは６、７倍の肉厚の素材を使用することも当然可能であり、また、３倍ないし６、７倍も数倍の範囲である。これらの条件に加えて、ケージ本体内部の状況をインターホン及び全周監視カメラによって、随時的確に把握することも、迅速な救護対応を可能にするものであり、従って、本発明は昇降機の搭乗者を放射線及び放射性物質から効果的な防護に寄与するものといえる。
【図面の簡単な説明】
【００３５】
【図１】本発明に係る被曝線量低減対策を講じた昇降機の一例について、一部を省略して示す正面図である。
【図２】同上の昇降機の側面図である。
【図３】同上における下部ステージを示す平面図である。
【図４】同じく側面図である。
【図５】同じく乗降口扉部の閉じた状態を示す正面図である。
【図６】同じく乗降口扉部の開いた状態を示す正面図である。
【図７】同上における開閉ハンドルを示す正面図である。
【図８】同じく端面図である。
【図９】同上の昇降機の平面説明図である。
【図１０】同じく背面遮蔽部の内装構造を示す説明図である。
【図１１】同じく右側面遮蔽部の内装構造を示す説明図である。
【図１２】同じく内装板等の取り付け構造を示すもので、Ａは図１０のＸＩＩＡ−ＸＩＩＡ線の断面図、Ｂは図１１のＸＩＩＢ部分の断面図である。
【図１３】同じく正面遮蔽部の内装構造を示す説明図である。
【図１４】同じくケージ扉の構造を示す正面図である。
【図１５】同上の開閉を示すもので、Ａは閉状態、Ｂは開状態の断面図である。
【図１６】原子炉建屋を囲む構造物を設置するための本発明の昇降機の一例を示す平面説明図である。
【符号の説明】
【００３６】
１０  工事用エレベーター即ち昇降機
１１  ケージ本体
１８  電源・通信ケーブル
２０  下部ステージ
２１  階段
２２  乗降スペース
２３  インターホン子機
２４  呼び出し装置
２５  中継ボックス
２６  回転灯
２７  背面板
２８  側面板
２９  タラップ
３０  乗降口扉部
３１  開閉扉
３２  扉枠
３３  開閉ハンドル
３４  開閉検出用リミットスイッチ
３５  開閉ロック装置
４０  開閉口  
４１  正面遮蔽部
４２  右側面遮蔽部
４３  左側面遮蔽部
４４  背面遮蔽部
４５  床面遮蔽部
４６  天面遮蔽部
４７  ハッチ
４８、５５ａ、５５ｂ  内装板
４９  ボルト
５０  操作盤
５１  化粧板
５２  操作ボタン群
５３  インターホン（親機）
５４  溶接
５６  カバー
５７  タラップ
５８  ストッパー
５９  窓
６０  全周監視カメラ
６１、６２、６３  ケージ扉
６６、６６′、６７、６７′、６８  ほぼＬ字型の重なり部
【図１】
2014145749.tif 000003
【図２】
2014145749.tif 000004
【図３】
2014145749.tif 000005
【図４】
2014145749.tif 000006
【図５】
2014145749.tif 000007
【図６】
2014145749.tif 000008
【図７】
2014145749.tif 000009
【図８】
2014145749.tif 000010
【図９】
2014145749.tif 000011
【図１０】
2014145749.tif 000012
【図１１】
2014145749.tif 000013
【図１２】
2014145749.tif 000014
【図１３】
2014145749.tif 000015
【図１４】
2014145749.tif 000016
【図１５】
2014145749.tif 000017
【図１６】
2014145749.tif 000018